(57)【要約】【課題】使い勝手が良好な電気掃除機を提供する。【解決手段】電動送風機の排気側に連通した排気孔５６に対向して、回路基板４６に金属製の放熱板５１を取り付ける。放熱板５１の平板部５１ｂを覆って絶縁性のシート５５を取り付ける。回路基板４６から導出したリード線５２を嵌合凹部５４内に保持するように位置規制する規制片部５５ｄをシート５５に設ける。導電性のピンを誤って排気孔５６に挿入した場合でも、シート５５でピンと放熱板５１を確実に絶縁できる。規制片部５５ｄでリード線５２を容易に位置決めでき、使い勝手が良好になる。【選択図】        図１
2004229911.tif 000002
【特許請求の範囲】
【請求項１】
電動送風機を収容した掃除機本体と、
この掃除機本体を貫通して設けられ、前記電動送風機の排気側に連通した排気孔と、
前記掃除機本体内に取り付けられた回路基板と、
前記排気孔に対向して前記回路基板に取り付けられ、この回路基板の熱を放出する放熱板と、
この放熱板および前記排気孔の間に位置して取り付けられ、絶縁性を有するシートと、
このシートに設けられ、前記回路基板から導出されたリード線を位置規制する規制片部と
を具備したことを特徴とした電気掃除機。
【発明の詳細な説明】
【０００１】
【発明の属する技術分野】
本発明は、回路基板の熱を放出する放熱板を備えた電気掃除機に関する。
【０００２】
【従来の技術】
従来、この種の電気掃除機は、電動送風機を収容する電動送風機室を内部の後側に有する掃除機本体としての本体ケースを備えている。この本体ケースは、電動送風機の排気側に連通された複数の排気孔を有する排気パネルを、上部ケース体および下部ケース体にて後側に挟持して形成されている。また、電動送風機室内の電動送風機の上方には、回路基板が配設されている。この回路基板の後端部には、回路基板に実装された部品などから発生する熱を放出する金属製の放熱板が取り付けられている。この放熱板は、回路基板の後端部から突出し、排気孔に対向するように屈曲されている。そして、電動送風機を駆動させ、この電動送風機からの排気風を回路基板に吹き付けた後、排気孔から本体ケースの外部に排気させることで、回路基板を冷却している（例えば、特許文献１参照。）。
【０００３】
【特許文献１】
特開２０００−２７１０４５号公報（第３頁、図１）
【０００４】
【発明が解決しようとする課題】
しかしながら、上述の電気掃除機では、排気孔に金属棒などが誤って挿入されて放熱板に接触すると、回路基板に導通される電気が放熱板および金属棒を介して本体ケースの外部に導出されるおそれがある。
【０００５】
また、回路基板から導出されたリード線などが所定位置から外れると、本体ケースの組み立ての際に、上部ケース体と排気パネル、あるいは排気パネルと下部ケース体との間でリード線を挟んだり、リード線が放熱板に当接してリード線の絶縁を取ることが容易でなかったりする。
【０００６】
この結果、使い勝手が良好でないという問題点を有している。
【０００７】
本発明はこのような点に鑑みなされたもので、使い勝手が良好な電気掃除機を提供することを目的とする。
【０００８】
【課題を解決するための手段】
本発明は、掃除機本体内に取り付けられた回路基板と、電動送風機の排気側に連通した排気孔に対向して回路基板に取り付けられ、この回路基板の熱を放出する放熱板と、この放熱板および排気孔の間に位置して取り付けられ、絶縁性を有するシートと、このシートに設けられ、回路基板から導出されたリード線を位置規制する規制片部とを具備したものである。そして、例えば金属棒などが誤って排気孔に挿入された場合でも、放熱板の排気孔側を覆った絶縁性のシートで金属棒と放熱板とを確実に絶縁でき、また、シートに設けられた規制片部で回路基板から導出されたリード線を位置規制することで、リード線を容易に位置決めできるなど、使い勝手が良好になる。
【０００９】
【発明の実施の形態】
以下、本発明の電気掃除機の一実施の形態の構成を図１ないし図４を参照して説明する。
【００１０】
図４において、１はいわゆるキャニスタ型の電気掃除機である。この電気掃除機１は、中空な下部ケース体２、この下部ケース体２の上部に取り付けられた上部ケース体３、および、下部ケース体２の両側面に沿って取り付けられたバンパ４を有する掃除機本体としての本体ケース５を備えている。この上部ケース体３は、下部ケース体２の後側にねじ止めにて取り付けられた上部ケース体本体６と、この上部ケース体本体６の前側に上下方向に回動可能に取り付けられ、下部ケース体２の前側上部を開閉可能に覆う集塵蓋７とを有している。
【００１１】
また、本体ケース５の前側下部には、図３に示すように、旋回輪８が旋回自在かつ回転自在に取り付けられている。さらに、本体ケース５の後側両側部には、図３および図４に示すように、大径の走行輪９がそれぞれ前後方向に回転自在に取り付けられている。これら旋回輪８および走行輪９により、本体ケース５は被掃除面としての床面上を走行可能となっている。
【００１２】
そして、下部ケース体２内の底部には、図３に示すように、隔壁１１が一体に設けられている。この隔壁１１は、上方に向けてバンパ４の上端部よりも若干上方まで突出し、下部ケース体２の幅方向に沿って設けられている。また、この隔壁１１は、旋回輪８と走行輪９との間、かつ上部ケース体本体６と集塵蓋７との間に、この下部ケース体２内の両側面の間に亘って設けられている。この隔壁１１により、本体ケース５内には、上側開口が集塵蓋７により開閉可能に閉塞される集塵室１２、および、電動送風機１３を収容した電動送風機室１４が、前後にそれぞれ区画形成されている。
【００１３】
また、下部ケース体２の前側には、本体吸込口１５が貫通して設けられ、集塵室１２に連通している。この本体吸込口１５の上方には、係合体１６が前後方向に回動可能に設けられている。この係合体１６は、本体吸込口１５の集塵室１２側の開口に取り付けられた集塵パック１７の上端部を着脱可能に保持してこの集塵パック１７を集塵室１２内に固定する。
【００１４】
また、集塵蓋７は、本体ケース５の前方に向けて下方に傾斜している。さらに、集塵蓋７で集塵室１２を閉塞した際のこの集塵室１２の上部になる位置には、窓部３２が貫通して設けられている。この窓部３２からは、集塵室１２の内部に本体ケース５の外部からの紫外線を含む光が導入される。
【００１５】
またさらに、窓部３２の下側には、抗菌性および消臭性などを有する上部フィルタ体３３が窓部３２に対向して着脱可能に取り付けられている。
【００１６】
隔壁１１の本体ケース５の幅方向の一側寄りの位置には、集塵室１２と電動送風機室１４とを互いに連通させる図示しない連通孔が設けられている。この連通孔の集塵室１２側、すなわち前側には、フィルタ体４１が着脱可能に取り付けられている。
【００１７】
また、電動送風機室１４内には、電動送風機１３が、図示しないパッキングなどが周囲に嵌着された状態で略円筒状の保持体４２内に保持され、吸込側である負圧側が連通孔に対して気密に接続されている。すなわち、電動送風機１３は、負圧側が集塵室１２に連通している。
【００１８】
さらに、保持体４２には、本体ケース５の前後方向に沿って下部ケース体２の底部から上方向に向けて突出した区画リブ４３が設けられている。この区画リブ４３の電動送風機１３と反対側には、電源コードが巻回された図示しないコードリールが収容されている。
【００１９】
またさらに、保持体４２の上部には、電源コードおよび電動送風機１３などと電気的に接続された略矩形平板状の回路基板４６が、保護部材４７にて上下を保護された状態で設置されている。この回路基板４６は、保持体４２に一体に設けられた図示しない複数の爪部が上面に係合されて略水平に配設されており、後端部が電動送風機室１４の後端部の近傍に位置している。また、この回路基板４６の後端部の幅方向の中心域には、この回路基板４６に実装された各種部品４９による熱を放出する導電性の金属製のヒートシンクである放熱板５１が、図示しない導電性のねじなどで一体に取り付けられている。
【００２０】
この放熱板５１は、回路基板４６の後端部にねじなどで取り付けられた取付板部５１ａを備え、この取付板部５１ａの後端部には、回路基板４６の後端部から下方に向けて屈曲された矩形平板状の後面である平板部５１ｂが一体に設けられている。この平板部５１ｂは、電動送風機１３の排気側である正圧側に連通した保持体４２の図示しない貫通孔に対向して位置している。
【００２１】
さらに、回路基板４６からは、この回路基板４６に実装された各種部品４９に電気的に接続された複数、例えば３本のリード線５２がそれぞれ導出されている。これらリード線５２は、放熱板５１の平板部５１ｂの側方に導出されている。またさらに、保持体４２の後部の放熱板５１の平板部５１ｂの側方には、一対のリブ５３，５３が本体ケース５の幅方向に平行に離間されて上下方向に沿って設けられている。これらリブ５３，５３の間には、リード線５２が嵌合される嵌合凹部５４が上下方向に沿って形成されている。このため、嵌合凹部５４は、放熱板５１側のリブ５３によりこの放熱板５１から離間されている。
【００２２】
そして、放熱板５１の平板部５１ｂには、この平板部５１ｂ全体を覆って絶縁性のシート５５が取り付けられている。このシート５５は、図２に示すように、例えば絶縁性の樹脂などで略矩形状に形成されたシート本体５５ａを備えている。このシート本体５５ａは、放熱板５１の平板部５１ｂよりも平面視で大きく形成されている。また、このシート本体５５ａの上下方向の中心よりも上側に偏位した幅方向の両端部には、シート本体５５ａの側方に略垂直に舌片状に突出した係合腕部５５ｂ，５５ｃがそれぞれ一体に設けられている。
【００２３】
係合腕部５５ｂは、略細長矩形状に形成されており、例えばシート本体５５ａよりも幅寸法が大きい。さらに、係合腕部５５ｃは、略台形状に形成されている。ここで、シート５５は、係合腕部５５ｂ，５５ｃの基端部を折り曲げて放熱板５１の平板部５１ｂの前側面に位置させることで、放熱板５１の平板部５１ｂの後面にシート本体５５ａが対向した状態で放熱板５１の周囲に巻きつけるように取り付けられる。
【００２４】
そして、シート本体５５ａの幅方向の係合腕部５５ｂ側の端部における係合腕部５５ｂの上方には、矩形状の規制片部５５ｄが一体に設けられている。この規制片部５５ｄは、係合腕部５５ｂよりも突出寸法が小さく形成されている。また、この規制片部５５ｄは、シート５５を放熱板５１に取り付けた際に、リブ５３，５３の後側に位置して嵌合凹部５４の一部を覆い、リード線５２を位置規制する。
【００２５】
さらに、電動送風機室１４の後部には、図１および図３に示すように、複数の排気孔５６が貫通して設けられた排気パネル５７が、下部ケース体２と上部ケース体３との間に挟持されて取り付けられている。この排気パネル５７の各排気孔５６は、本体ケース５の幅方向および上下方向に沿って略矩形状に配設されている。また、これら排気孔５６は、放熱板５１の平板部５１ｂおよびシート５５の後方に位置し、電動送風機１３の排気側である正圧側に連通され、電動送風機１３から排気された排気風を本体ケース５の外部に排気させる。言い換えると、放熱板５１の平板部５１ｂおよびシート５５は、排気孔５６に対向して本体ケース５内に配設されている。
【００２６】
そして、排気パネル５７の排気孔５６の側方には、電源コードを本体ケース５の外部に導出させる図示しないコード孔が設けられている。
【００２７】
また、バンパ４の電動送風機室１４に位置した部分には、電動送風機１３からの排気風の一部を本体ケース５の外部へと排気させる複数の排気孔６０が貫通して設けられている。
【００２８】
一方、本体吸込口１５には、図４に示すように、可撓性を有するホース体６１の基端が連通されて着脱可能に接続されている。このホース体６１の先端には、このホース体６１の基端側に向けて上側に突出した把持部６３が一体に設けられている。この把持部６３には、回路基板４６に電気的に接続され電動送風機１３などの動作モードを設定する複数の設定ボタン６４が設けられている。また、ホース体６１の先端側には、伸縮可能な接続管としての延長管６５を介して吸込口体としての床ブラシ６６が着脱可能に連通接続されている。
【００２９】
次に、上記一実施の形態の本体ケースの組み立て動作を説明する。
【００３０】
まず、周囲を保持体４２で保持した電動送風機１３を、コードリールとともに下部ケース体２の電動送風機室１４内に配設する。
【００３１】
次いで、下部ケース体２の後側に排気パネル５７を取り付け、排気パネル５７のコード孔から電源コードを排気パネル５７の外部に導出する。
【００３２】
さらに、放熱板５１を回路基板４６に図示しないねじなどで取り付け、放熱板５１の平板部５１ｂにシート５５を取り付けた後、放熱板５１の平板部５１ｂを排気パネル５７の排気孔５６に対向させた状態で保持体４２の上側に配設する。
【００３３】
この後、回路基板４６から導出された各リード線５２を保持体４２のリブ５３，５３の間に通して嵌合凹部５４に嵌合させ、これらリード線５２が集まった位置である嵌合凹部５４の上方をシート５５の規制片部５５ｄで位置規制して、嵌合凹部５４内、すなわち所定位置に保持する。
【００３４】
そして、下部ケース体２の両側部にバンパ４を取り付けた状態で、上部ケース体３を下部ケース体２の上に被せてこれら下部ケース体２および上部ケース体３でバンパ４および排気パネル５７を挟持し、下部ケース体２および上部ケース体３をねじで固定して本体ケース５を完成する。
【００３５】
次に、上記一実施の形態の掃除動作を説明する。
【００３６】
掃除をする際には、集塵蓋７を回動させて集塵室１２を開口させ、集塵室１２内に集塵パック１７を取り付けた後、集塵蓋７を回動させて集塵室１２を閉塞するとともに、本体吸込口１５にホース体６１および延長管６５を介して床ブラシ６６を接続する。そして、設定ボタン６４を操作して電動送風機１３を駆動させ、ホース体６１の把持部６３を持って押動させて、床ブラシ６６を床面上で前後に走行させる。
【００３７】
このとき、電動送風機１３の駆動により発生する吸込力によって、床ブラシ６６の図示しない吸込口から空気とともに床面上の塵埃が吸い込まれる。
【００３８】
この後、床ブラシ６６の吸込口から塵埃とともに吸い込まれた空気は、延長管６５およびホース体６１を順次介して本体吸込口１５へと吸い込まれた後、集塵パック１７にて空気とともに吸い込んだ塵埃が捕捉されて集塵される。
【００３９】
そして、集塵パック１７を通過した吸込風は、集塵室１２内で上部フィルタ体３３により殺菌および消臭され、フィルタ体４１にてさらに微細な塵埃を捕捉されて連通孔および電動送風機１３を通過して排気風となる。
【００４０】
このとき、排気風の一部は、放熱板５１から放出される回路基板４６の熱とともに排気孔５６から排気されることで、回路基板４６を効率よく冷却する。
【００４１】
また、排気風の他の一部は、排気孔６０などから本体ケース５の外部へと排気される。
【００４２】
さらに、導電性を有する金属棒としてのピンなどが掃除中に誤って排気孔５６内に挿入された際には、シート５５にてピンなどと放熱板５１とを絶縁し、回路基板４６に導通される電気が、放熱板５１を回路基板４６に取り付けたねじおよび放熱板５１を介して本体ケース５の外部に導出されることを防止する。
【００４３】
上述したように、上記一実施の形態によれば、本体ケース５内に取り付けた回路基板４６に、電動送風機１３の排気側に連通した排気孔５６に対向して金属製の放熱板５１を取り付け、この放熱板５１の平板部５１ｂをシート５５のシート本体５５ａで覆うとともに、このシート５５に一体に設けた規制片部５５ｄで回路基板４６から導出されたリード線５２を嵌合凹部５４内に保持するように位置規制する。
【００４４】
このため、導電性を有するピンなどが誤って排気孔５６に挿入された場合でも、シート５５でピンと放熱板５１とを確実に絶縁できる。
【００４５】
また、リード線５２を規制片部５５ｄで容易に位置決めできるため、本体ケース５の組み立ての際に、下部ケース体２と排気パネル５７との間、あるいは排気パネル５７と上部ケース体３との間でリード線５２を挟むことを防止できる。
【００４６】
さらに、リード線５２を放熱板５１から離間することで、リード線５２の絶縁を確保できる。
【００４７】
この結果、電気掃除機１の使い勝手を良好にできる。
【００４８】
そして、リブ５３，５３の間である嵌合凹部５４にリード線５２を嵌合させ、リード線５２が集まった位置を規制片部５５ｄで位置規制することにより、嵌合凹部５４とシート５５の規制片部５５ｄとで、より確実にリード線５２を所定の位置に保持できる。
【００４９】
またさらに、シート５５のシート本体５５ａに設けた係合腕部５５ｂ，５５ｃにてシート５５を巻きつけるように放熱板５１の平板部５１ｂに取り付けるため、シート５５を放熱板５１に容易に取り付けでき、かつシート５５を放熱板５１から外れにくくできる。
【００５０】
なお、上記一実施の形態において、キャニスタ型の電気掃除機に限らず、床ブラシ６６が本体ケース５の下面に直接形成されたアップライト型、その他、本体ケース５と床ブラシ６６とが一体化された自走式の電気掃除機あるいはハンディ型などであっても対応させて用いることができる。
【００５１】
また、電気掃除機１は、集塵パック１７で集塵するものに限らず、いわゆるサイクロン式などでも対応させて用いることができる。
【００５２】
さらに、シート５５は、例えば接着剤などで放熱板５１に貼着してもよく、シート５５の放熱板５１への取り付け方法、あるいは形状などは、上記構成に限定されるものではない。
【００５３】
そして、電気掃除機１の細部の構成は、上記一実施の形態の構成に限定されるものではない。
【００５４】
【発明の効果】
本発明によれば、絶縁性のシートで放熱板を確実に絶縁でき、また、規制片部で回路基板から導出されたリード線を位置規制することで、リード線を容易に位置決めできるなど、使い勝手が良好になる。
【図面の簡単な説明】
【図１】本発明の電気掃除機の一実施の形態の一部を切り欠いて示す斜視図である。
【図２】同上電気掃除機のシートを示す平面図である。
【図３】同上電気掃除機を示す断面図である。
【図４】同上電気掃除機を示す斜視図である。
【符号の説明】
１    電気掃除機
５    掃除機本体としての本体ケース
１３    電動送風機
４６    回路基板
５１    放熱板
５２    リード線
５５    シート
５５ｄ    規制片部
５６    排気孔
【図１】
2004229911.tif 000003
【図２】
2004229911.tif 000004
【図３】
2004229911.tif 000005
【図４】
2004229911.tif 000006